(57)【要約】      （修正有）【課題】上がり湯用のカランは、シャワーを代用することにより常時は不使用状態になることが多いい点に着目して、上記カランの利用により口腔内で歯間などの清掃を適切に行えるようにした浴室内装備用口腔清掃装置を提供する。【解決手段】浴室Ｒ内の上がり湯用カランＫの水出口部ｊにおけるカラン付きねじ部に、ホース１の基端部１ａにおけるねじ部が螺合可能に構成されており、ホース１の先端部１ｂには歯間などを清掃するための口腔内洗浄用ノズル２が装着されている。【選択図】図１
0003152561.tif 000002
【実用新案登録請求の範囲】
【請求項１】
浴室内の上がり湯用カランに接続可能の基端部を備えたホースにおいて、同ホースの先端部に口腔清掃用のノズルを備えたことを特徴とする、浴室内装備用口腔清掃装置。
【請求項２】
上記ホースにおける上記基端部が、その周壁部に、上記カランの水出口部の周壁部におけるカラン付きねじ部に螺合可能のホース付きねじ部を備えるとともに、同ホース付きねじ部の内部にフイルターが装着されていることを特徴とする、請求項１に記載の浴室内装備用口腔清掃装置。
【考案の詳細な説明】
【技術分野】
【０００１】  本考案は、口腔内の保健のため、歯や歯茎などを清掃するのに用いられる装置に関し、特に浴室内の上がり湯用カランを利用して、ノズルからの噴出水により口腔内の清掃を行えるようにした浴室内装備用口腔清掃装置に関する。
【背景技術】
【０００２】    一般に、口腔内の清掃には歯ブラシが用いられるが、歯間などの清掃を効率よく行うため、洗面所の蛇口にノズル付きホースを接続して、ノズルからの噴出水により口腔内の清掃を行えるようにしたものも開発されている。
しかしながら、洗面所でノズルからの噴出水を用いると、水が撥ねて衣服を濡らしたり洗面所の鏡や壁などに水滴が付着したりする恐れがある。
【考案の開示】
【考案が解決しようとする課題】
【０００３】  本考案は、防水性の浴室内では水が撥ねても支障を来たすことが無く、また入浴の際には衣服を濡らすこともない点に着目するとともに、上がり湯用のカランは、シャワーを代用することにより常時は不使用状態になることが多い点に着目して、上記カランの利用により歯間などの清掃を適切に行えるようにした浴室内装備用口腔清掃装置を提供することを課題とする。
【課題を解決するための手段】
【０００４】  前述の課題を解決するため、本考案の浴室内装備用口腔清掃装置は、浴室内の上がり湯用カランに接続可能の基端部を備えたホースにおいて、同ホースの先端部に口腔清掃用のノズルを備えたことを特徴としている。【０００５】  また、本考案の浴室内装備用口腔清掃装置は、上記ホースにおける上記基端部が、その周壁部に、上記カランの水出口部の周壁部におけるカラン付きねじ部に螺合可能のホース付きねじ部を備えるとともに、同ホース付きねじ部の内部にフィルターが装着されていることを特徴としている。
【考案の効果】
【０００６】  上述の本考案の浴室内装備用口腔清掃装置では、上がり湯用カランのノブの回動量により、同カランに接続されたホースの先端部のノズルからの放水量を調節して、同ノズルの噴出水を歯の表面や歯間部分などに当てながら、口腔内の清掃を的確に行なうことが可能になる。【０００７】  そして、上記ノズルからの噴出水による口腔内清掃が浴室内で行なわれるため、上記ノズルからの水が撥ねても支障をきたすことが無く、また入浴の際に用いれば、衣服を濡らさないですむ利点も得られる。【０００８】  また、上がり湯を必要とする場合は、上記ホースを上がり湯用カランから取り外すことにより、容易に同カランの本来の機能を復活させることができる。【０００９】  さらに、上記ホースの基端部が上記カランの水出口部におけるねじ部に螺合可能のホース付きねじ部を備えて、その内部にフィルターを備えることにより、上記ホースの着脱の簡便性が高められるとともに、上記フィルターにより、洗浄水内に砂粒等の異物が存在する場合があっても同異物の保留が的確に行なわれるので、上記ノズルに詰まりを生じることが無く、又、口腔内への異物の放射も防止して、十分に安全性を保つことができる。
【実施例】
【００１０】  図１は本考案の１実施例としての浴室内装備用口腔清掃装置を示す説明図、図２は上記口腔清掃装置の要部を示す縦断面図である。
図１に示すように、本実施例の浴室内装備用口腔清掃装置Ａは、浴槽Ｂを備えた浴室Ｒの内部において、上がり湯用カランＫの水出口部ｊへ着脱自在に接続可能の装置として構成されている。【００１１】  すなわち、上がり湯用カランＫの水出口部ｊに接続可能の基端部１ａを備えたホース１において、同ホース１の先端部１ｂに、口腔内で歯間などへ噴水を放出しうるノズル２を備えるようにして、口腔清掃装置Ａが構成されている。【００１２】  そして、ホース先端部１ｂは、ノズル２の不使用時には取付け具３を介して浴室Ｒの側壁４に保持される。【００１３】  ノズル２は、適度に湾曲した硬質プラスチック製の中空把持部２ａを備え、同把持部２ａの先端部に軟質プラスチック製の中空噴水部材２ｂを装着されるようにして構成されている。【００１４】  ホース１の基端部１ａは、図２に示すように、カランＫにおける水出口部ｊの内周の雌ねじ部に螺合可能の雄ねじ部付き金具５を備えるようにして構成されており、同金具５の内部には金網状のフィルター６が着脱可能に装着されている。【００１５】  なお、図Ｉにおいて符号７はカランＫとシャワーノズルＳとの切り替えおよび放水量調節を行うためのノブを示し、符号８は上がり湯およびシャワーのための温度調節用ノブを示している。
また、符号Ｍはミラーを示し、符号Ｎは腰掛けを示している。【００１６】  上述の本実施例の浴室内装備用口腔清掃装置では、上がり湯用カランＫからの放水量を調節すべくノブ７を回動操作して、同カランＫに接続されたホース１の先端部のノズル２からの放水量を調節し、同ノズル２の噴出水を歯の表面や歯間部分などに当てながら、口腔内の清掃を的確に行うことが可能になる。【００１７】  そして、ノズル２からの噴出水による口腔内清掃が浴室Ｒ内で行われるため、ノズル２からの水が撥ねても支障をきたすことは無く、また入浴の際に用いれば、衣服を濡らさないですむ利点が得られる。【００１８】  また、上がり湯を必要とする場合は、ホース１を上がり湯用カランＫから取り外すことにより、容易に同カランＫの本来の機能を復活させることができる。【００１９】  さらに、ホース１の基端部１ａが、その周壁部に、カランＫの水出口部ｊにおける雌ねじ部に螺合可能のホース付き雄ねじ部を備えて、その内部にフィルター６を備えることにより、ホース１の着脱の簡便性が高められるとともに、上記フィルター６により、洗浄水内に砂粒などの異物が存在する場合があっても、同異物の保留が的確に行われるので、ノズル２に詰まりを生じることが無く、また口腔内への異物の放射も防止して十分に安全性を保つことができる。
【図面の簡単な説明】
【００２０】
【図１】  本考案の一実施例としての浴室内装備用口腔清掃装置を示す説明図である。
【図２】  上記清掃装置の要部を示す縦断面図である。
【符号の説明】
【００２１】１        ホース
１ａ      ホース基端部
１ｂ      ホース先端部
２        ノズル
２ａ      中空把持部
２ｂ      中空噴水部材
３        取付け具
４        側壁
５        雄ねじ部付き金具
６        フィルター
７        ノブ
８        温度調節用ノブ
Ａ        口腔清掃装置
Ｂ        浴槽
ｊ        水出口部
Ｋ        カラン
Ｍ        ミラー
Ｎ        腰掛け
Ｒ        浴室
Ｓ        シャワーノズル
【図１】
0003152561.tif 000003
【図２】
0003152561.tif 000004